(57)【要約】【課題】繰り返しの使用ができて資源の無駄使いを回避し、構造が簡単で片手でも操作できて利便な、静電で塵埃を粘着する清潔装置を提供すること。【解決手段】ハンドル、伝動ユニット及び清潔ツールから組成され、ハンドルは伝動ユニットにアセンブリされ、伝動ユニットに滑動的にプルロッドを設け、清潔ツールはきさげ、摩擦パッド、円柱ローリングドラム及び半弧形カバーを含み、円柱ローリングドラムと摩擦パッドとの間の摩擦で生じる静電力で塵埃及び毛のわたを粘着し、円柱ローリングドラムの表面に粘着した塵埃、毛のわたを半弧形カバーと円柱ローリングドラムとのギャップに集める。【選択図】図１
0003128499.tif 000002
【実用新案登録請求の範囲】
【請求項１】
静電で塵埃を粘着する清潔装置において、
主にハンドル、伝動ユニット、及び清潔ツールを含み、
伝動ユニットの主体はボックスであり、ボックスの側辺に開口溝があり、
開口溝に滑動自在にプルロッドを設け、
ボックスの内部に単一回転方向の歯車をアセンブリし、
プルロッドは開口溝の側に取り付けられ、
プルロッドは伝動帯に接続され、
伝動帯は単一回転方向の歯車に囲繞し、その一端がプルロッドに接続され、もう一端がボックスに接続され、
清潔ツールは円柱ローリングドラムと摩擦パッドから組成され、
円柱ローリングドラムは伝動ユニットのボックスの側面にアセンブリし、しかも、単一回転方向の歯車の回転に伴い、円柱ローリングドラムを単一方向に沿って回転駆動するように、円柱ローリングドラムが単一回転方向の歯車に接続し、
摩擦パッドは伝動ユニットのボックスにアセンブリし、
摩擦パッドの一面は円柱ローリングドラムの表面に接触させ、
円柱ローリングドラムの回転によって摩擦パッドとの摩擦作用で円柱ローリングドラムの表面に静電が生じるように構成したことを特徴とする、
静電で塵埃を粘着する清潔装置。
【請求項２】
請求項１において、清潔ツールに、きさげを設置する。きさげは伝動ユニットのボックスの側面にアセンブリされることを特徴とする、静電で塵埃を粘着する清潔装置。
【請求項３】
請求項２において、きさげの材質はゴムであることを特徴とする、静電で塵埃を粘着する清潔装置。
【請求項４】
請求項１において、円柱ローリングドラムの表面の材質はＰＶＣであることを特徴とする、静電で塵埃を粘着する清潔装置。
【請求項５】
請求項１において、摩擦パッドの材質は真皮であることを特徴とする、静電で塵埃を粘着する清潔装置。
【考案の詳細な説明】
【技術分野】
【０００１】
本考案は静電（静電気）で塵埃を粘着する清潔装置に関し、殊に円形ローリングドラム（rolling drum）の表面の摩擦で出て来る静電を利用して、着物、又はカーペット(pet)(carpet)等の軟性のものに付着する毛のわた、及び塵埃を粘着して清潔効果を遂げる静電で塵埃を粘着する清潔装置に関するものである。
【背景技術】
【０００２】
台湾地区の人口密度が高いので、前後ともに庭がある家庭は少ない。
また、家庭でよく見える猫、犬など小さいペット(pet)を飼うということも流行っている。
ゆえに、ペット(pet)と人類の生活範囲は密接な関係がある。
家庭に、毛のわたが飛揚する現象も良く見かける。
【０００３】
さらに、科学技術の発展に伴って、人類生活と住まい環境の品質も汚染されている。
例えば、空気中の有害の科学物質、浮遊微粒子、及び塵埃は人体の呼吸器官に影響を及ぼす。軽い影響としては過敏を招き、重い影響としては、息切れなどのマイナスの影響をもたらす。
【０００４】
こればかりでなく、住まいの環境に極めて高い塵埃を生じる。机の表面、ソファ、ベッド、布団、着物等の物品にも、いつも前述した理由で大量の毛のわたや塵埃を生じて頻繁に清潔しなければならない。
【０００５】
一般的に既知の清潔ブラシ(brush)は、ただ単にブラシ(brush)に毛があり、ブラシを掛けて塵埃、又は毛のわたを集めるだけで、取り出すことができない。
【０００６】
例えば、ソファや椅子の寄り掛かる部位にかける着物などの塵埃、毛のわたを刷ったあとで、塵埃や毛のわたが下へ落ちる。つまり、清潔ブラシ(brush)に塵埃が付かない。清潔ブラシ(brush)で、水平の物品を拭いても、塵埃は傍へ刷るしか、本当に清浄することができない。
【考案の開示】
【考案が解決しようとする課題】
【０００７】
従来から、既知の清潔ツール(tool)は、ただ塵埃、又は毛の綿などの汚いものを刷り、それらを取り出したり、又は集めることができない。
【０００８】
羽のブラシ(brush)ならば、清潔、整理が容易ではないばかり、水で洗うこともいけない。
粘着膠タイプ(type)の清潔ツール(tool)ならば、繰り返すように使用できず、資源の無駄である。これらの問題を解決しなければならない。
【課題を解決するための手段】
【０００９】
本考案は静電で塵埃を粘着する清潔装置に関するものであり、特に、円柱ローリングドラム（rolling drum）と摩擦パッド(pad)と摩擦したあとで、静電を発生させる原理を利用するものである。
【００１０】
その本体は主に、ハンドル(handle)、伝動ユニット(unit)及び清潔ツール(tool)など要素から組成される。ハンドル(handle)は伝動ユニット(unit)にアセンブリ(assembly)される。
【００１１】
伝動ユニット(unit)に、活動的なプルロッド(pull rod)を設ける。清潔ツール(tool)はきさげ、摩擦パッド(pad)、円柱ローリングドラム（rolling drum）及び半弧形のカバー(cover)を含む。
そいう構造で、操作のときに、伝動ユニット(unit)のプルロッド(pull rod)は清潔ツール(tool)の円柱ローリングドラム（rolling drum）を回すように動ける。
【００１２】
円柱ローリングドラム（rolling drum）と摩擦パッド(pad)との摩擦で、静電力が生じる。
【００１３】
円柱ローリングドラム（rolling drum）の静電力で、塵埃及び毛のわたを粘着したあとで、円柱ローリングドラム（rolling drum）の回転で、円柱ローリングドラム（rolling drum）の表面に粘着した塵埃、毛のわたを半弧形カバー(cover)と円柱ローリングドラム（rolling drum）とのギャップ(gap)に集めて、清潔の目的を果たす。
【００１４】
したがって、本考案の主な目的はつぎの静電で塵埃を粘着する清潔装置を提供することにある。きさげで、着物、ソファ(sofa)又はカッペット(pet)など軟性素地における毛のわた、塵埃を有効的に集めた後で、摩擦したローリングドラム（rolling drum）の表面に出て来る静電力を経由して、それらの汚い物を粘着すルロリングドラム（rolling drum）の転がっているうちに、同時に、ローリングドラム（rolling drum）の片側における汚い物を収集ボックス(box)へ集める。それで、有効的に繰り返して使用できて過度に資源の無駄を招かないという、静電で塵埃を粘着する清潔装置を提供することである。
【００１５】
本考案のもう一つの目的はつぎの静電で塵埃を粘着する清潔装置を提供することにある。ハンドル(handle)を、プルロッド(pull rod)を持つ伝動ユニット(unit)にアセンブリ(assembly)したあとで、伝動ユニット(unit)に、円柱ローリングドラム（rolling drum）、収集ボックス(box)、きさげを含むという清潔ツール(tool)を連結することで、構造が簡単で片手でも操作できて利便な、静電で塵埃を粘着する清潔装置を提供することである。
【００１６】
すなわち、本願の第１考案は、静電で塵埃を粘着する清潔装置において、主にハンドル、伝動ユニット、及び清潔ツールを含み、伝動ユニットの主体はボックスであり、ボックスの側辺に開口溝があり、開口溝に滑動自在にプルロッドを設け、ボックスの内部に単一回転方向の歯車をアセンブリし、プルロッドは開口溝の側に取り付けられ、プルロッドは伝動帯に接続され、伝動帯は単一回転方向の歯車に囲繞し、その一端がプルロッドに接続され、もう一端がボックスに接続され、清潔ツールは円柱ローリングドラムと摩擦パッドから組成され、円柱ローリングドラムは伝動ユニットのボックスの側面にアセンブリし、しかも、単一回転方向の歯車の回転に伴い、円柱ローリングドラムを単一方向に沿って回転駆動するように、円柱ローリングドラムが単一回転方向の歯車に接続し、摩擦パッドは伝動ユニットのボックスにアセンブリし、摩擦パッドの一面は円柱ローリングドラムの表面に接触させ、円柱ローリングドラムの回転によって摩擦パッドとの摩擦作用で円柱ローリングドラムの表面に静電が生じるように構成したことを特徴とする、静電で塵埃を粘着する清潔装置を提供する。
本願の第２考案は前記第１考案において、清潔ツールに、きさげを設置する。きさげは伝動ユニットのボックスの側面にアセンブリされることを特徴とする、静電で塵埃を粘着する清潔装置を提供する。
本願の第３考案は前記第２考案において、きさげの材質はゴムであることを特徴とする、静電で塵埃を粘着する清潔装置を提供する。
本願の第４考案は前記第１考案において、円柱ローリングドラムの表面の材質はＰＶＣであることを特徴とする、静電で塵埃を粘着する清潔装置を提供する。
本願の第５考案は前記第１考案において、摩擦パッドの材質は真皮であることを特徴とする、静電で塵埃を粘着する清潔装置を提供する。
【考案の効果】
【００１７】
本考案は有効的に繰り返して使用することができるという目的を達成できるばかりでなく、塵埃や毛の綿等の汚い物を取り除く場合にも、ただ、清潔ツール(tool)の半弧形カバー(cover)を開ければよいので、大変利便である。
【考案を実施するための最良の形態】
【００１８】
以下に添付図面を参照しながら、本考案の好適な実施例について説明する。
まず図１は本考案の立体のアセンブリ(assembly)の説明図、図２は立体分解を示す説明図である。
本考案の静電で塵埃を粘着する清潔装置はハンドル(handle)１０、伝動ユニット(unit)２０、清潔ツール(tool)３０を含む。
【００１９】
ハンドル(handle)１０は伝動ユニット(unit)２０の中空矩形ボックス(box)２１の側面に枢設、接続するようにアセンブリ(assembly)される。
【００２０】
伝動ユニット(unit)２０の主体は中空矩形ボックス(box)２１である。
その側辺に、開口溝２６がある。
開口溝２６に、活動自在にプルロッド(pull rod)２５を設けるので、プルロッド(pull rod)２５が開口溝２６で滑り動ける。
【００２１】
中空矩形ボックス(box)２１の内部に、単一回転方向の歯車２４をアセンブリ(assembly)する。
単一回転方向の歯車２４は単一回転方向の歯車２４から突き出すシャフト２４１を経由して、開口溝２６の側に取り付けられる。
プルロッド(pull rod)２５は延伸凸軸２５１で、伝動帯２３に接続される。
【００２２】
伝動帯２３は前述の単一回転方向の歯車２４に囲繞、接続したあとで、もう一端がスプリング(spring)２２に接続される。
スプリング(spring)２２はパッド(pad)２７を経由して、ねじで、中空矩形ボックス(box)２１の一端に締め付けられる。
【００２３】
前記の伝動帯２３はプルロッド(pull rod)２５を経由して、開口溝２６で滑り動けているうちに、単一回転方向の歯車２４を作動させ、反時計回りの方向に沿って回転させる。
【００２４】
清潔ツール(tool)３０は円柱ローリングドラム（rolling drum）３１、摩擦パッド(pad)３２、きさげ３３、半弧形カバー(cover)３４など要素から組成される。
【００２５】
円柱ローリングドラム（rolling drum）３１は凸軸３１１を利用して、枢設、接続するように、前記の伝動ユニット(unit)２０のボックス(box)２１の側面にアセンブリ(assembly)される。
凸軸３１１が伝動ユニット(unit)２０の単一回転方向の歯車２４の中心に嵌め合うようにアセンブリ(assembly)されるので、単一回転方向の歯車２４が回転すると、同時に、円柱ローリングドラム（rolling drum）３１を単一方向へ回転させる。本例の場合は反時計回り方向へ回転させる。
【００２６】
摩擦パッド(pad)３２ときさげ３３は前記の伝動ユニット(unit)２０の矩形ボックス(box)２１の側面に締め付けられる。
摩擦パッド(pad)３２の一面はきさげ３３と、相互に接続される。
【００２７】
摩擦パッド(pad)３２の別面が円柱ローリングドラム（rolling drum）３１の表面に接続されるので、円柱ローリングドラム（rolling drum）３１が回転しているうちに、摩擦パッド(pad)３２との摩擦作用が生じ、さらに、円柱ローリングドラム（rolling drum）３１の表面に、静電を発生させる。
半弧形カバー(cover)３４の一辺側から、凸軸３４１が形成される。
【００２８】
凸軸３４１は伝動ユニット(unit)２０の矩形ボックス(box)２１の外側に枢設、接続される。
半弧形カバー(cover)３４のもう一辺はきさげ３３と摩擦パッド(pad)３２との接合箇所の凹溝３３１に接続される。
【００２９】
使用時に、半弧形カバー(cover)３４ときさげ３３との接続側はクローズド状態となるので、清潔の塵埃、毛のわたを前記の円柱ローリングドラム（rolling drum）３１と半弧形カバー(cover)３４とのギャップ(gap)に粘着して付ける。
そんな塵埃や毛のわたを取り除きたい場合には、半弧形カバー(cover)３４を、凸軸３４１を軸心として、時計回り方向へ回転させる。
【００３０】
それで、半弧形カバー(cover)３４のもう一辺がきさげ３３と摩擦パッド(pad)３２との凹溝３３１から図５に示すように離れる。
【００３１】
本例の場合、前記の円柱ローリングドラム（rolling drum）３１の表面の材質はＰＶＣで、摩擦パッド(pad)３２は新皮材質、きさげ３３の材質はゴム(gom)である。
【００３２】
図３〜図５を参照して実施の時に、下さい。まずは清潔ツール(tool)３０のきさげ３３で、着物、カーペット(pet)(carpet)又は他の清潔したいものにおける毛のわた、塵埃など汚い物を削り出すように収集したあとで、伝動ユニット(unit)２０のプルロッド(pull rod)２５を引き動ける。
伝動帯２３は単一回転方向の歯車２４及び円柱ローリングドラム（rolling drum）３１を回すように作動させる。
【００３３】
転がっているうちに、円柱ローリングドラム（rolling drum）３１と摩擦パッド(pad)３２の摩擦を経由して、円柱ローリングドラム（rolling drum）３１の表面に、静電が出て来る。
静電力で、塵埃、毛のわたを粘着する。
【００３４】
単一回転方向の歯車２４が単一方向しか回転できず、本例ならば、反時計回り方向へ回るので、円柱ローリングドラム（rolling drum）３１の表面に粘着した塵埃や毛のわたは円柱ローリングドラム（rolling drum）３１の転がっているうちに、有効的に、清潔ツール(tool)３０の半弧形カバー(cover)３４と円柱ローリングドラム（rolling drum）３１とのギャップ(gap)に収集される。
【００３５】
本考案は有効的に繰り返して使用できるばかりでなく、塵埃や毛の綿等の汚い物を取り除く場合にただ単に清潔ツール(tool)３０の半弧形カバー(cover)３４を開けるだけでよいので便利である。
【００３６】
以上は本考案の好ましい実施例の説明であり、本考案はこれらの実施例の記載に限定されるものではない。
【図面の簡単な説明】
【００３７】
【図１】本考案の実施例に係る清潔装置のアセンブリを示す説明図である。
【図２】本考案の実施例に係る清潔装置の立体的に分解した説明図である。
【図３】本考案の実施例に係る清潔装置の作動を説明するための断面図である。
【図４】本考案の実施例に係る清潔装置の清潔ツールの円柱ローリングドラムの作動を示す説明図である。
【図５】本考案の実施例に係る清潔装置により汚物を清浄することを示す説明図である。
【符号の説明】
【００３８】
１０・・・・・・ハンドル(handle)
２０・・・・・・伝動ユニット(unit)
２１・・・・・・ボックス(box)
２２・・・・・・スプリング(spring)
２３・・・・・・伝動帯
２４・・・・・・単一回転方向の歯車
２５・・・・・・プルロッド(pull rod)
２５１・・・・・凸軸
２６・・・・・・開口溝
２７・・・・・・金属パッド(pad)
３０・・・・・・清潔ツール(tool)
３１・・・・・・円柱ローリングドラム（rolling drum）
３１１・・・・・凸軸
３２・・・・・・摩擦パッド(pad)
３３・・・・・・きさげ
３３１・・・・・凹溝
３４・・・・・・半弧形カバー(cover)
３４１・・・・・凸軸
【図１】
0003128499.tif 000003
【図２】
0003128499.tif 000004
【図３】
0003128499.tif 000005
【図４】
0003128499.tif 000006
【図５】
0003128499.tif 000007
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
静電で塵埃を粘着する清潔装置において、
主にハンドル、伝動ユニット、及び清潔ツールを含み、
伝動ユニットの主体はボックスであり、ボックスの側辺に開口溝があり、
開口溝に滑動自在にプルロッドを設け、
ボックスの内部に単一回転方向の歯車をアセンブリし、
プルロッドは開口溝の側に取り付けられ、
プルロッドは伝動帯に接続され、
伝動帯は単一回転方向の歯車に囲繞し、その一端がプルロッドに接続され、もう一端がボックスに接続され、
清潔ツールは円柱ローリングドラムと摩擦パッドから組成され、
円柱ローリングドラムは伝動ユニットのボックスの側面にアセンブリし、しかも、単一回転方向の歯車の回転に伴い、円柱ローリングドラムを単一方向に沿って回転駆動するように、円柱ローリングドラムが単一回転方向の歯車に接続し、
摩擦パッドは伝動ユニットのボックスにアセンブリし、
摩擦パッドの一面は円柱ローリングドラムの表面に接触させ、
円柱ローリングドラムの回転によって摩擦パッドとの摩擦作用で円柱ローリングドラムの表面に静電が生じるように構成したことを特徴とする、
静電で塵埃を粘着する清潔装置。
【請求項２】
請求項１において、清潔ツールに、きさげを設置し、きさげは伝動ユニットのボックスの側面にアセンブリされることを特徴とする、静電で塵埃を粘着する清潔装置。
【請求項３】
請求項２において、きさげの材質はゴムであることを特徴とする、静電で塵埃を粘着する清潔装置。
【請求項４】
請求項１において、円柱ローリングドラムの表面の材質はＰＶＣであることを特徴とする、静電で塵埃を粘着する清潔装置。
【請求項５】
請求項１において、摩擦パッドの材質は真皮であることを特徴とする、静電で塵埃を粘着する清潔装置。
【手続補正２】
【補正対象書類名】明細書
【補正対象項目名】００１６
【補正方法】変更
【補正の内容】
【００１６】
すなわち、本願の第１考案は、静電で塵埃を粘着する清潔装置において、主にハンドル、伝動ユニット、及び清潔ツールを含み、伝動ユニットの主体はボックスであり、ボックスの側辺に開口溝があり、開口溝に滑動自在にプルロッドを設け、ボックスの内部に単一回転方向の歯車をアセンブリし、プルロッドは開口溝の側に取り付けられ、プルロッドは伝動帯に接続され、伝動帯は単一回転方向の歯車に囲繞し、その一端がプルロッドに接続され、もう一端がボックスに接続され、清潔ツールは円柱ローリングドラムと摩擦パッドから組成され、円柱ローリングドラムは伝動ユニットのボックスの側面にアセンブリし、しかも、単一回転方向の歯車の回転に伴い、円柱ローリングドラムを単一方向に沿って回転駆動するように、円柱ローリングドラムが単一回転方向の歯車に接続し、摩擦パッドは伝動ユニットのボックスにアセンブリし、摩擦パッドの一面は円柱ローリングドラムの表面に接触させ、円柱ローリングドラムの回転によって摩擦パッドとの摩擦作用で円柱ローリングドラムの表面に静電が生じるように構成したことを特徴とする、静電で塵埃を粘着する清潔装置を提供する。
本願の第２考案は前記第１考案において、清潔ツールに、きさげを設置し、きさげは伝動ユニットのボックスの側面にアセンブリされることを特徴とする、静電で塵埃を粘着する清潔装置を提供する。
本願の第３考案は前記第２考案において、きさげの材質はゴムであることを特徴とする、静電で塵埃を粘着する清潔装置を提供する。
本願の第４考案は前記第１考案において、円柱ローリングドラムの表面の材質はＰＶＣであることを特徴とする、静電で塵埃を粘着する清潔装置を提供する。
本願の第５考案は前記第１考案において、摩擦パッドの材質は真皮であることを特徴とする、静電で塵埃を粘着する清潔装置を提供する。